(57)【要約】      （修正有）【課題】被粘着物に貼った粘着テープを剥がす時、剥がせる部分が見え指先でつまめる端は凸型になり上を向き立っている凸起合掌部を形成する粘着テープカッターを提供する。【解決手段】粘着テープ１９を装填する滑車２を回転自在に設ける滑車台１８と、滑車台１８と離間した前者支柱４と、この前者支柱４と離間した後者支柱６と、前者支柱４と軸５を共有したこの後者支柱６とをバネ７を介して二股にして軸５を支える主柱３と、ギザ歯１６とからなり、滑車台１８と主柱３とを基盤１に設け、前者支柱の上面８は接着率を大きく、後者支柱の上面１２は接着率を小さくして、前者支柱４と後者支柱６とで開閉運動をさせ、前者支柱の上面８と軸５を共有した後者支柱の上面１２とはバネ７の反発で円周線に沿って離間し、斜め上に向い合い静止する。【選択図】図１
2007217183.tif 000002
【特許請求の範囲】
【請求項１】
粘着テープを装填する滑車を回転自在に設ける滑車台と、前記滑車台と離間した前者支柱と、この前者支柱と離間した後者支柱と、前記前者支柱と軸を共有したこの後者支柱とをバネを介して二股にして前記軸を支える主柱と、ギザ歯とからなり、これら滑車台と前者支柱と後者支柱とギザ歯とをこの順に配列し、前記滑車台と前記主柱とを基盤に設け、前記前者支柱の上面は接着率を大きく、後者支柱の上面は接着率を小さくして、前記前者支柱と後者支柱とで開閉運動をさせ、前記前者支柱の上面と前記軸を共有した後者支柱の上面とは前記バネの反発で円周線に沿って離間し、斜め上に向い合い静止してなる事を特徴とする粘着テープカッター。
【請求項２】
開閉運動を操作するハンドルを前記後者支柱に設けて後者支柱を前記前者支柱の方向に移動自在としてなる事を特徴とする請求項1記載の粘着テープカッター。
【請求項３】
開閉運動を操作するハンドルを前記前者支柱に設けて前者支柱を前記後者支柱の方向に移動自在としてなる事を特徴とする請求項1記載の粘着テープカッター。
【請求項４】
前記後者支柱の上面に微細溝を付けると共に前記微細溝の横で前記前者支柱と反対側にギザ歯を設けてなる事を特徴とする請求項１乃至請求項3記載の粘着テープカッター。
【請求項５】
前記前者支柱の上面に細い溝を付けた折込み台と留置き台とを滑車台側から順に設けると共に前記後者支柱の上面に微細溝を付けてなる事を特徴とする請求項１乃至請求項４記載の粘着テープカッター。
【請求項６】
前記前者支柱の上面に凹凸歯を設けると共に、前記後者支柱の上面に前記凹凸歯と対面する位置に凸凹歯を設け、この前者支柱とこの後者支柱を開閉させる事により前記凹凸歯と前記凸凹歯とを噛み合せ、前記凹凸歯と前記凸凹歯との合体面を平面としてなる事を特徴とする請求項１乃至請求項5記載の粘着テープカッター。
【請求項７】
前記滑車台と前記基盤を円形のカバーとして設け、このカバーは内側に粘着テープの内面を保持する滑車台と外側円周に基盤を兼用し、且つ前記凹凸歯の下面にある前記前者支柱の接続面を後者支柱の方向に張り出し端留置き台としてなる事を特徴とする請求項１乃至請求項６記載の粘着テープカッター。
【発明の詳細な説明】
【技術分野】
【０００１】
本発明は、被粘着物に貼った粘着テープを剥がす時、剥がせる部分がすぐ見え指先でつまめる端は凸型になり上を向き立っている凸起合掌部を形成する粘着テープカッターに関するものである。
【背景技術】
【０００２】
従来の粘着テープカッターにあっては、粘着テープを被粘着物に強く貼る事が簡単に出来るものの、次に、剥がす場合には粘着性の強い粘着テープは刃物で切り取る事も多く危険な場合もある。また、粘着テープの端が折れ曲って粘着面と粘着面とが接着しこの端が非粘着面になった粘着テープを被粘着物に貼ると、一直線に伸ばした粘着テープと同じ一平面にこの端があるため透明であれば目立ちにくい、また、予期せぬ偶然でこの非粘着面の端からめくれ剥がれると密閉密封とは逆行する。また、下記の特許文献にあるテープカッターの中には長時間連続使用が出来るのか、そして、器械を操作する指先の近くに切断刃や針などがあり安全面に欠けるものなどがある。
【０００３】
例えば、特許文献１記載のような粘着テープを切り離すと略同時に粘着テープの端部を折り返し粘着面同士を粘着させることができる粘着テープホルダがある。
【０００４】
例えば、特許文献２記載のような本体に粘着テープを積層巻装したボビンを回転可能に設け、粘着テープ繰り出し方向下流側に上端に切刃を備えたカッターを設け、粘着テープの切断端部に粘着側を内側にしたループを形成するループ形成手段を設けた粘着テープ切断装置で、その粘着テープを所望の長さだけ繰り出した後、切刃による粘着テープの切断時において粘着テープを確実に保持するためにフライトレバーの粘着部に複数個の針が設けられ、ループを指先にて挟着して上方若しくは斜右上方に引き上げる粘着テープ切断装置がある。
【０００５】
また、特許文献３記載のような梱包物等に接着された粘着を剥離しやすいように、粘着テープを切断するとき、あらかじめその片側先端部分を折りたたんで切断できるつまみ部形成機能付き粘着テープカッターがある。
【０００６】
さらに、特許文献４記載のような荷造り、包装等に利用する広幅の粘着テープを速やかに切断するのみならず、その頭出しを容易に行うことができ、その後、粘着テープの頭出し部分を引っ張って、切断刃に押え切断ができる粘着テープカッターがある。
【０００７】
また、特許文献５記載のような、テープカッタを、引き出す接着用テープが、タブのない状態と、タブを摘んで所望長さに引き出し、カッタ刃に押し付け切断することで、一端側にタブを具備する状態との二様の切り換えが簡単に行えるように構成したテープカッタがある。
【０００８】
また、特許文献６記載のようなテープを切断する直前、テープの端部と巻きテープのはがし位置との中間位置の２点で接着する部分を設け、テープ端の方が接着している切断機をはがし位置の方に移動させると、テープの接着している片方又は両方の回転機が少し回るのと一緒にテープの接着部も回り、テープは粘着面を内側にして曲がる。更に切断機をはがし位置の方に移動すると曲がりがきつくなって粘着面が近づき、夫れを摘むことで粘着テープの端部に非接着部を作る粘着テープ端部折り曲げ装置がある。
【０００９】
さらに、特許文献７記載のようなテープの粘着片とカッター刃先面との間に、間隔をとる構造であり間隔面上にテープを張り渡し刃先面の作動片を押すことによりテープはループ状態となり、そのループを指先でつまむことによりテープの先端は折曲げ状態となりテープを所用の寸法に引き出し切断すると、粘着テープの先端が折れ曲げとなり、粘着テープの紙等に密着された状態で、これを剥がすのに簡易な粘着テープ先端折曲げ付きカッターがある。
【００１０】
さらに、特許文献８記載のような基台上に、粘着テープを回動自在に保持する支持手段と、テープを切断する切断手段とを備えた粘着テープカッターであって、粘着テープの接着面に、圧接してテープの長さ方向に癖を付ける突部を有する癖付部材を立設し、該癖付部材の側方に、カッター刃を有するカッター部材の基端部に枢着して外方に向けて回転自在に立設するとともに、癖付部材の側方に位置するように、弾性部材にてカッター部材を弾性附勢してなる切断手段を設けて、テープの長さ方向に大きく傷をつけて癖をつけることができる癖付部材とカッター刃の間が内側に折れ曲げられて確実にテープの先端部に折曲端が形成される粘着テープカッターがある。
【００１１】
【特許文献１】特開平０７−０１７６６２号公報  発明の名称  粘着テープホルダー
【特許文献２】特開平０６−１７９５６２号公報  発明の名称  粘着テープ切断装置
【特許文献３】特開２００１−１９９６１９号公報  発明の名称  つまみ部形成機能付き粘着テープカッター
【特許文献４】特開平０８−０６７３９９号公報  発明の名称  粘着テープカッター
【特許文献５】特開２００５−１８７２０５号公報  発明の名称  テープカッタ
【特許文献６】特開２００４−０８３２７５号公報  発明の名称  粘着テープの端部折り曲げ装置
【特許文献７】特開平０７−３０４５５１号公報  発明の名称  粘着テープ先端折曲げ付カッター
【特許文献８】特開平１０−１６７５５３号公報  発明の名称  粘着テープカッター
【発明の開示】
【発明が解決しようとする課題】
【００１２】
一直線になった通常の粘着テープは端から端まで被粘着物にしっかり接着する。次に、一直線になった粘着テープの一方の端をすべて折り返した端にして被粘着物に接着させると、他方の端はしっかり接着するが、この一方の端は接着する部分に粘着面がないため始めからめくれて剥がれている状態にある。したがって、この折り返した端は指先でめくり剥がしやすさもある。この様に両者の持っている長所を合せ持った形にすると、粘着テープは端から端までしっかり接着してつまめる部分を持ち、事故で剥がれる事なく上につまみ剥がせ、通常の粘着テープと同様にしっかり密封密閉を維持する。この様に両者の特長を合せ持った粘着テープカッターを作り不都合さを解決しようとする。
【００１３】
本発明は上記不都合さを解消するため、端から端まで一直線の粘着テープに密封密閉の作業をする特長を持たせたまま、両方の手のひらを合わせた形にした、つまめる部分をこの上に付加した形にしたものであり、この粘着テープの端は凸型になり上を向き立っている凸起合掌部を形成している。凸型は目で見え手で触れ指先で上につまみ剥がせる形にして弱点を取り除き、より一層粘着テープの便利性と使いやすさを発揮させ、暮らしに貢献する粘着テープカッターを提供する事を目的とする。
【課題を解決するための手段】
【００１４】
本発明の粘着テープカッターは粘着テープを装填する滑車を回転自在に設ける滑車台と、前記滑車台と離間した前者支柱と、この前者支柱と離間した後者支柱と、前記前者支柱と軸を共有したこの後者支柱とをバネを介して二股にして前記軸を支える主柱と、ギザ歯とからなり、これら滑車台と前者支柱と後者支柱とギザ歯とをこの順に配列し、前記滑車台と前記主柱とを基盤に設け、前記前者支柱の上面は接着率を大きく、後者支柱の上面は接着率を小さくして、前記前者支柱と後者支柱とで開閉運動をさせ、前記前者支柱の上面と前記軸を共有した後者支柱の上面とは前記バネの反発で円周線に沿って離間し、斜め上に向い合い静止してなることを特徴とする。
【００１５】
さらに、開閉運動を操作するハンドルを前記後者支柱に設けて後者支柱を前記前者支柱の方向に移動自在とする構成を付加した事を特徴とする。
【００１６】
さらに、開閉運動を操作するハンドルを前記前者支柱に設けて前者支柱を前記後者支柱の方向に移動自在とする構成を付加した事を特徴とする。
【００１７】
さらに、前記後者支柱の上面に微細溝を付けると共に前記微細溝の横で前記前者支柱と反対側にギザ歯を設けて、凸起合掌部を形成する際に粘着テープを剥離しやすくした事を特徴とする。
【００１８】
さらに、前記前者支柱の上面に細い溝を付けた折込み台と留置き台とを滑車台側から順に設けると共に前記後者支柱の上面に微細溝を付け、凸起合掌部を形成しやすくした事を特徴とする。
【００１９】
さらに、前記前者支柱の上面に凹凸歯を設けると共に、前記後者支柱の上面に前記凹凸歯と対面する位置に凸凹歯を設け、この前者支柱とこの後者支柱とを開閉させる事により前記凹凸歯と前記凸凹歯とを噛み合せ、前記凹凸歯と前記凸凹歯との合体面を平面として、確実に凸起合掌部を形成しやすくした事を特徴とする。
【００２０】
さらに、前記滑車台と前記基盤を円形のカバーとして設け、このカバーは内側に粘着テープの内面を保持する滑車台と外側円周に基盤を兼用し、且つ前記凹凸歯の下面にある前記前者支柱の接続面を後者支柱の方向に張り出し端留置き台として、このカバーを指先で把持する携帯用粘着テープカッターとした事を特徴とする。
【発明の効果】
【００２１】
本発明の粘着テープカッターは粘着テープを装填してハンドルを操作し手で押すと前記後者支柱は軸を共有する前者支柱に接近し、微小の傾斜面を付けた後者凸歯先端部と微細溝以外の両者支柱の上面にある歯と歯は単一平面となり合体する。ハンドルから手を離すとこの歯と歯はバネの反発で元に戻り斜め上に向い合い静止する。この操作により粘着テープの端は前者支柱上面の歯の角に凸起合掌部になった形で留まる。この形を保持して粘着テープを必要とする長さまで手で引き出し被粘着物に貼ると、この形は一直線になった粘着テープの端に凸起部を作り、なおかつ、この凸起部の真横に粘着テープの最終切れ端が有るためこの端に挟まった凸起部は上向きに立った凸型となる。そして、この粘着テープの粘着面は最初から最後の端まで有るためしっかり接着して事故によりめくれ剥がれる事はない。にも拘らず凸型の端はすぐ目に付き手に触れ指先で上につまみ剥がせる。また、安全に関してはカッター刃など指先に接触する事も無い、器械の操作は年齢に関係なく簡単な使用方法で熟練を必要としない、この粘着テープは一方の端から凸型の最終切れ端まで粘着面があるため密封密閉の作業が常に正確に出来、従来の弱点を解消し粘着テープの利点を発揮する。
【発明を実施するための最良の形態】
【００２２】
以下、本発明の実施の状態について図１乃至図１６を参照して説明する。
【００２３】
図１において、基盤１には粘着テープ１９を装填する滑車２を回転自在に設ける滑車台１８と主柱３とが設けられている。前記主柱３をバネ７を介して二股にした、この股の中心に軸５を設け、二股の一方の先端は前記滑車台１８と離間した前記主柱３から延びて前者支柱４となり、他方の先端は前記軸５を共有して前記前者支柱４の方向に移動自在な後者支柱６となる。前記後者支柱６にはギザ歯１６が設けられており、これら滑車台１８と前者支柱４と前記軸５を共有する後者支柱６とギザ歯１６とがこの順に配列し直線状となっている。前記後者支柱６に設けたハンドル２７を手で押し前記前者支柱４と後者支柱６とで開閉運動をさせると、この両者支柱にある平面にした凹凸歯１１と後者凸歯先端部２４と微細溝２６以外の平面にした凸凹歯１３とは単一の平面として合体し合体面１７を作る。次に、ハンドル２７から手を離すと前記前者支柱の上面８と後者支柱の上面１２とは前記バネ７の反発力により軸５を中心として円周線に沿って離間する。なお、ギザ歯１６は後者支柱６に設ける事に代えて後者支柱６とは別個にしてもよい。また、ねじりバネ、圧縮コイルバネなどのバネ７は器械に合せて選択し、使用場所はバネ７の特長に合わせ移動する。
【００２４】
前記前者支柱の上面８には図２に示すように、縦横方向の細い溝２５を付けた折込み台９と留置き台１０と平面の凹凸歯１１とが滑車台１８側から順に配列されている。折込み台９は滑車台１８側に位置し図５に示す前者支柱上部側面２０の形状としている。なお、前記細い溝２５は多数の微小突起３１のある粗面加工としてもよい。
【００２５】
前記後者支柱の上面１２には図３および図４の拡大図に示すように、前者支柱４の平面の凹凸歯１１と凹凸が逆となって対面するよう平面の凸凹歯１３が設けられている。平面の前記凸凹歯１３の表面に縦横方向の微細溝２６が形成されており、平面の前記凸凹歯１３の後者凸歯１４の先端の後者凸歯先端部２４の上面には微小の傾斜面が形成されており、図６の拡大図に示す後者支柱上部側面２１としている。また、平面の前記凸凹歯１３の基部すなわち後者凸歯先端部２４と反対側には横方向すなわち平面の前記凸凹歯１３の並び方向に研削された溝１５が形成され、さらに、その横にギザ歯１６が設けられている。また、前記微細溝２６は多数の微小突起３１のある粗面加工としてもよい。また、図９および図１０は平面にした前記凹凸歯１１と平面にした前記凸凹歯１３とを板型角歯２８と板型角歯２８とに示している。図１０に示す後者支柱の上面１２にも同様に粗面にするための微細溝２６を付けている。図１１は両者支柱にある板型角歯２８と板型角歯２８とが上下に重合した側面対面図の形状としている。
【００２６】
また、図１５および図１６に示す携帯粘着テープカッターの構成は図１乃至図１６に示す符号と同じ符号にて示す。次に、前記粘着テープカッターとの形状の相違点は前記基盤１と前記滑車台１８とを併用して粘着テープ１９を装填するカバー３２を設け、この内側に粘着テープ１９の内面を保持し回転自在にする滑車台１８と前記カバー３２外側の円周上を基盤１とし主柱３を設け、さらに、前記前者支柱の上面８にある前記凹凸歯１１の下面に前記前者支柱４を横に張出し端留置き台３０として兼用し、前記ハンドル２７と前記バネ７の位置を移動して、前記滑車台１８を指先Ａにて把持する形状にした事以外の構造は前記粘着テープカッターの構造と同様とする。また、本発明で使用するバネ７はねじりバネ、圧縮コイルバネ、引張コイルバネ、板バネなどのバネ７をその時々に使用し、バネ７を取り付ける位置は最も効力のある場所にする。
【００２７】
次に、図１乃至図１６を参照して本発明粘着テープカッターの使用状態並びに工程を説明する。
【００２８】
図１乃至図８は本発明の実施例を示す。基盤１にある滑車台１８に粘着テープ１９を装填した滑車２から粘着テープ１９の端を引き出し、滑車２から直線状にある前記前者支柱４と後者支柱６とに作用するバネ７を装着した前記前者支柱の上面８と後者支柱の上面１２を通過しギザ歯１６で切断した粘着テープ１９を準備する（図７イおよび図８イ参照）。次に、ハンドル２７を操作して前記後者支柱６を円周線に沿って前者支柱４に移動させ、前記前者支柱４と軸５を共有した後者支柱６とで開閉運動をさせると、この両者支柱上面との間にまたがった粘着テープ１９は上に湾曲した形となる（図７ロおよび図８ロ参照）。次に、前記後者支柱の上面１２の凸凹歯１３にある歯先に微小の傾斜面をつけた後者凸歯１４の先端は前記前者支柱の上面８にある凹凸歯１１この凹歯の上にある粘着テープ１９の下に入り込み前記凹凸歯１１と前記凸凹歯１３とが合体すると、後者支柱の上面１２にある粘着テープ１９の平坦な切れ端２２Ａは前記後者支柱の上面１２から横ずれし浮き剥がれやすい状態となる。この事により正確に凸起合掌部２２を形成しこの凸起部２３の上部内面は未接着の空間を残し合掌接着する（図７ハおよび図８ハ参照）。ハンドル２７から手を離すと合体し合体面１７を作っていた前記凹凸歯１１と前記凸凹歯１３とはバネ７の反発力により離間し前記後者支柱６は元に戻る時、粘着テープ１９の平坦な切れ端２２Ａは後者支柱の上面１２から分離され、前記前者支柱の上面８の留置き台１０および前記凹凸歯１１の角にある凸起合掌部２２の端になったまま留まる。そしてこの後者支柱の上面１２は軸５を中心として円周線に沿って分かれ斜め上に向い合い静止する（図７ニおよび図８ニ参照）。この様に構成した粘着テープカッターを長時間連続使用しても常に安定し端に凸起合掌部２２を作るため、多人数の場所で包装や荷造りをする置き台に器械を固定して使用してもよい。    
【００２９】
本発明の粘着テープ１９の端に凸起合掌部２２を作る第１条件は粘着テープ１９を装填する滑車２を回転自在に設ける滑車台１８と、前記滑車台１８と離間した前者支柱４と、この前者支柱４と離間した後者支柱６と、前記前者支柱４と軸５を共有したこの後者支柱６とをバネ７を介して二股にして前記軸５を支える主柱３と、ギザ歯１６とからなり、これら滑車台１８と前者支柱４と後者支柱６とギザ歯１６とをこの順に配列し、前記滑車台１８と前記主柱３とを基盤１に設け、前記前者支柱の上面８は接着率を大きく、後者支柱の上面１２は接着率を小さくして、前記前者支柱４と後者支柱６とで開閉運動をさせ、前記前者支柱の上面８と前記軸５を共有した後者支柱の上面１２とは前記バネ７の反発で円周線に沿って離間し、斜め上に向い合い静止する形を形成している。この様に簡単な構造にする事により、器械はぶれの無い軸５を中心にして正確に開閉運動をし、各部分の部品は縦の歪みや横の歪みなど、また、手の操作による粘着テープ１９のぶれなど全く無い構造にしている。次にハンドル２７を操作して前記後者支柱の上面１２を円周線に沿って移動させると、この粘着テープ１９は合体面１７を作る両者支柱上面の歯先と歯先との中間点の上に向い直線を維持する復元力により正確に凸起合掌部２２を形成する（図７参照）。  
【００３０】
本発明の粘着テープ１９の端に凸起合掌部２２を作る第２条件は前記軸５を中心とし正確に開閉運動をする事で、直線を維持しようとする粘着テープ１９は平面にした凹凸歯１１の延長線と後者凸歯先端部２４と微細溝２６を伴う平面にした凸凹歯１３との延長線の交差点から上に向かい浮き上がる。そして、この様な形にした両者支柱上面の各々の平面は粘着テープ１９が上に向かう角度を維持する。また、上に向い合う角度は両者支柱の長さ（半径）で調整する。また、この両者支柱の上面に跨っている粘着テープ１９は捩れ歪みが無く張力も均等し、真っ平らに張った面として前記前者支柱の上面８と後者支柱の上面１２に留め置かれている事とする。反対に前記後者支柱上面１２の接着面積が狭い状態、即ち、粘着テープ１９の留め台が横に細長く接着面の幅が狭い場合や粘着テープ１９を切断する切断刃を兼用した粘着テープ１９の留め台など、この様に接着率が小さい場合粘着テープ１９の捩れ歪みが発生する。そして前者支柱４と後者支柱６とを接近させると前記後者支柱の上面１２にしっかり接着せず自然分離されるか又は正しい方向に湾曲せず下降する場合がある。しかし後者支柱の上面１２の接着面積を大きくすると即ち接着率が大きい場合、上記の事柄は発生する事なく長時間この器械を連続使用しても正確に端に凸起合掌部２２を作る（図１及び図７参照）。                                      
【００３１】
図９乃至図１１は、本発明の第２実施例を示し、図１および図２に示す平面にした前記凹凸歯１１と平面にした前記凸凹歯１３が噛み合せ自在とする歯に代えて直線縁状の平面にした板型角歯２８と板型角歯２８とにしたもので、前者支柱４と軸５を共有した後者支柱６とを開閉運動をさせると、図１１に示すように板型角歯２８と板型角歯２８との歯は上と下が重合する。この操作により粘着テープ１９は前記前者支柱の上面８にある板型角歯２８の角に凸起合掌部２２を同様に作る。又板型角歯２８と板型角歯２８との重合の度合いは粘着テープ１９の硬さ、厚さ、幅の広さ等により、用途に応じ調整する。又歯の厚さも同様に調整する。
【００３２】
図１２は本発明の第３実施例を示す。後者支柱６を移動させて前者支柱４と軸５を共有した後者支柱６とが開閉運動をさせる構成に代えて、図１２に示すように前者支柱４を軸を共有した後者支柱６に移動させて開閉運動させる粘着テープカッターである。
【００３３】
図１５および図１６は本発明の第４実施例を示し、その構成は図１乃至図１６に示す符号と同じ符号にて示す。前記基盤１と前者滑車台１８を併用し粘着テープ１９を装填するカバー３２を設け、前記カバー３２の内側に粘着テープ１９の内面を保持し回転自在にする滑車台１８とこのカバー３２外側の円周上を基盤１とし、さらに、前記前者支柱４の前記凹凸歯１１の下面にあるこの前者支柱４の接続面を横に張出し端留置き台３０として兼用し、前記滑車台１８を指先で把持する。また、後者支柱の上面２１にある前記凸凹歯１３と溝１５とギザ歯１６との続きに前記後者支柱６に直接直結したハンドル２７を設けて非粘着物２９に直接打ち当て、前者支柱の上面８にある平面とした前記凹凸歯１１と軸５を共有した後者支柱の上面１２にある平面とした前記凸凹歯１３とをこの操作にて開閉運動をさせる。この様に荒っぽい使用方法でも軸５を共有して正確に移動するようにした構造にしているため、連続使用しても常に安定している。また、基盤１の上面に多数の小突起３１がある粗面加工をすると不必要な接着を避けることができる。
【００３４】
また本発明の前者支柱４と軸５を共有した後者支柱６とを開閉運動を起させないで粘着テープ１９を引き出しギザ歯１６で切断すると一直線の粘着テープ１９として使用できる。また前記粘着テープカッター及び前記携帯粘着テープカッターに有る記載は主要な骨組みの構造であり、ハンドル２７の位置や外装の形状や素材などは安全面やデザインにより変化する。
【００３５】
図１３は本発明の凸起合掌部２２を形成した粘着テープ１９を被粘着物２９に接着使用する手順を示す図であり、前者支柱の上面8に形成されている凸起合掌部２２の前にある滑車２側から来る一直線の粘着テープ１９（図７ニ参照）を指先Ａ、Ａで持ち上げ必要な長さの粘着テープ１９を引き出しギザ歯１６で切断すると、粘着テープ１９は手の平側に凸起部２３と平坦な切れ端２２Ａと指先Ａ、Ａの外側に平坦部２２Ｂからなる凸起合掌部２２を形成する（図１３イ）。次に、被粘着物２９に指先Ａ、Ａとでその粘着テープ１９を対面させて平坦部２２Ｂを押さえつける（図１３ロ）。さらに、平坦な切れ端２２Ａを被粘着物２９に指先Ａにて押さえつける事により凸起部２３が被粘着物２９から凸起した状態となる（図１３ハ）。この平坦な切れ端２２Ａは粘着テープ１９が端からめくれ剥がれることを止めている。最終の端に平坦な切れ端２２Ａが有れば凸起合掌部２２の端になり無ければ単に折り返した端になる。この凸起合掌部２２の凸型の端は密封密閉を確実にし、一直線になった通常の粘着テープ１９と同様に端から端までしかり接着する。そしてこの凸型の端は横方向には剥がれにくい。しかし、指先で上方向には簡単につまみ上げ剥がし取れる。
【００３６】
図１４は本発明の折込み部を手で形成する粘着テープ１９を被粘着物２９に接着使用する手順を示す図であり、前記前者支柱４と軸５とを共有した後者支柱６との開閉運動により粘着テープ１９の凸起合掌部２２が留置き台１０と前記凹凸歯１１の角に跨っている状態にあるその凸起部２３の横にある滑車２から来る一直線の粘着テープ１９の部分（図７ニ参照）を指先Ａ、Ａで持ち上げ（図１４イ）、そのまま移動せずに上から下へ平坦な切れ端２２Ａを折込み台９の上で指で押さえつけ（図１４ロ）、粘着テープ１９の端が単に折り返した端になった折込み粘着テープ１９になる（図１４ハ）。      
【００３７】
図１５および図１６は本発明の携帯粘着テープカッターの使用方法と上面図を示し、その構成は図１乃至図１６に示す符号と同じ符号にて示す。粘着テープ１９を装填した携帯粘着テープカッターを持って手首を軽く振り動かしながら、前記後者支柱６に直接連動しているハンドル２７を被粘着物２９に軽く打ち当てると、この後者支柱の上面１２にある平面にした前記凸凹歯１３と軸５を共有した前者支柱の上面８にある平面にした前記凹凸歯１１とがこの軸５を中心に円周線上で噛み合せ合体させると、粘着テープ１９の凸起部２３は前記前者支柱の上面８にある前記凹凸歯１１の角に跨った形になって凸起合掌部２２を形成する（図７ニ参照）。次に、これを被粘着物２９に接着使用する手順を示す（図１３参照）。また、前記前者支柱の上面８にある平面の前記凹凸歯１１の下面にある前者支柱４を横に張出し端留置き台３０として兼用したこの上面に微細溝２６を設ける。この部分の作用は腰の強い粘着テープ１９を使用して凸起合掌部２２を形成させると、前記凹凸歯１１角に跨り留まっているその粘着テープ１９は腰が強く張りも強いため復元力も強くなりこの平坦な切れ端２２Ａは横方向から下方向へと曲がる。その時端留置き台３０が曲がりを受け止め凸起合掌部２２を形成しやすくする。
【００３８】
本発明粘着テープカッターの原理を市販されている一般的なペンチと粘着テープとで書き示す。
（１）ペンチを開ける。
（２）ペンチは軸５を中心に先端部が二股に分かれる。
（３）粘着テープ１９を二股にした両先端部に貼り渡す。
（４）ペンチを閉じる。
（５）ペンチの先端部が合体したこの平面の上に凸起合掌部２２を作る。
【図面の簡単な説明】
【００３９】
【図１】本発明の実施例を示す斜視図である。
【図２】本発明の前者支柱の上面図である。
【図３】本発明の後者支柱の上面図である。
【図４】本発明の後者凸歯の拡大した上面図である。
【図５】本発明の前者支柱上部側面図である。
【図６】本発明の拡大した後者支柱上部側面図である。
【図７】本発明の使用状態を示す正面図である。
【図８】本発明の工程を示すフローチャート図である。
【図９】本発明の第２実施例を示す前者支柱の上面にある歯を板型角歯に取り替えた上面図である。
【図１０】本発明の第２実施例を示す本発明の後者支柱の上面にある歯を板型角歯に取り替えた上面図である。
【図１１】本発明の第２実施例を示す両者支柱にある板型角歯と板型角歯とが重合した側面対面図である。
【図１２】本発明の第３実施例を示す斜視図である。
【図１３】本発明の凸起合掌部が形成された粘着テープを被粘着物に接着使用する手順を示す図である。
【図１４】本発明の折込み部を手で形成する粘着テープを被粘着物に接着使用する手順を示す図である。
【図１５】本発明の第４実施例を示す携帯粘着テープカッターの正面図である。
【図１６】本発明の第４実施例を示す携帯粘着テープカッターの上面図である。
【符号の説明】
【００４０】
１  基盤
２  滑車
３  主柱
４  前者支柱
５  軸
６  後者支柱
７  バネ
８  前者支柱の上面
９  折込み台
１０留置き台
１１凹凸歯
１２後者支柱の上面
１３凸凹歯
１４後者凸歯
１５溝
１６ギザ歯
１７合体面
１８滑車台
１９粘着テープ
２０前者支柱上部側面
２１後者支柱上部側面
２２凸起合掌部
２２Ａ平坦な切れ端
２２Ｂ平坦部
２３凸起部
２４後者凸歯先端部
２５細い溝
２６微細溝
２７ハンドル
２８板型角歯
２９被粘着物
３０端留置き台
３１小突起
３２カバー
Ａ  指先
【図１】
2007217183.tif 000003
【図２】
2007217183.tif 000004
【図３】
2007217183.tif 000005
【図４】
2007217183.tif 000006
【図５】
2007217183.tif 000007
【図６】
2007217183.tif 000008
【図７】
2007217183.tif 000009
【図８】
2007217183.tif 000010
【図９】
2007217183.tif 000011
【図１０】
2007217183.tif 000012
【図１１】
2007217183.tif 000013
【図１２】
2007217183.tif 000014
【図１３】
2007217183.tif 000015
【図１４】
2007217183.tif 000016
【図１５】
2007217183.tif 000017
【図１６】
2007217183.tif 000018
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
粘着テープを装填する滑車を回転自在に設ける滑車台と、前記滑車台と離間した前者支柱と、この前者支柱と離間した後者支柱と、前記前者支柱と軸を共有したこの後者支柱とをバネを介して二股にして前記軸を支える主柱と、ギザ歯とからなり、これら滑車台と前者支柱と後者支柱とギザ歯とをこの順に配列し、前記滑車台と前記主柱とを基盤に設け、この前者支柱の上面は接着面積を大きくし凹凸歯を設けると共に、後者支柱の上面は接着面積を小さくし前記凹凸歯と対面する位置に凸凹歯を設け、この前者支柱とこの後者支柱を開閉させる事により前記凹凸歯と前記凸凹歯とを噛み合せ、この凹凸歯とこの凸凹歯との合体面を平面とし、前記前者支柱の上面と前記軸を共有した後者支柱の上面とは前記バネの反発で円周線に沿って離間し、斜め上に向い合い静止してなる事を特徴とする粘着テープカッター。
【請求項２】
開閉運動を操作するハンドルを前記後者支柱に設けて後者支柱を前記前者支柱の方向に移動自在としてなる事を特徴とする請求項１記載の粘着テープカッター。
【請求項３】
開閉運動を操作するハンドルを前記前者支柱に設けて前者支柱を前記後者支柱の方向に移動自在としてなる事を特徴とする請求項１記載の粘着テープカッター。
【請求項４】
前記後者支柱の上面に微細溝を付けると共に前記微細溝の横で前記前者支柱と反対側にギザ歯を設けてなる事を特徴とする請求項１乃至請求項３記載の粘着テープカッター。
【請求項５】
前記前者支柱の上面に細い溝を付けた折込み台と留置き台とを滑車台側から順に設けると共に前記後者支柱の上面に微細溝を付けてなる事を特徴とする請求項１乃至請求項４記載の粘着テープカッター。
【請求項６】
前記滑車台と前記基盤を円形のカバーとして設け、このカバーは内側に粘着テープの内面を保持する滑車台と外側円周に基盤を兼用し、且つ前記凹凸歯の下面にある前記前者支柱の接続面を後者支柱の方向に張り出し端留置き台としてなる事を特徴とする請求項１乃至請求項５記載の粘着テープカッター。
【手続補正２】
【補正対象書類名】明細書
【補正対象項目名】全文
【補正方法】変更
【補正の内容】
【発明の詳細な説明】
【技術分野】
【０００１】
本発明は、被粘着物に貼った粘着テープを剥がす時、剥がせる部分がすぐ見え指先でつまめる端は凸型になり上を向き立っている凸起合掌部を形成する粘着テープカッターに関するものである。
【背景技術】
【０００２】
従来の粘着テープカッターにあっては、粘着テープを被粘着物に強く貼る事が簡単に出来るものの、次に、剥がす場合には粘着性の強い粘着テープは刃物で切り取る事も多く危険な場合もある。また、粘着テープの端が折れ曲って粘着面と粘着面とが接着しこの端が非粘着面になった粘着テープを被粘着物に貼ると、一直線に伸ばした粘着テープと同じ一平面にこの端があるため透明であれば目立ちにくい、また、予期せぬ偶然でこの非粘着面の端からめくれ剥がれると密閉密封とは逆行する。また、下記の特許文献にあるテープカッターの中には長時間連続使用が出来るのか、そして、器械を操作する指先の近くに切断刃や針などがあり安全面に欠けるものなどがある。
【０００３】
例えば、特許文献１記載のような粘着テープを切り離すと略同時に粘着テープの端部を折り返し粘着面同士を粘着させることができる粘着テープホルダがある。
【０００４】
例えば、特許文献２記載のような本体に粘着テープを積層巻装したボビンを回転可能に設け、粘着テープ繰り出し方向下流側に上端に切刃を備えたカッターを設け、粘着テープの切断端部に粘着側を内側にしたループを形成するループ形成手段を設けた粘着テープ切断装置で、その粘着テープを所望の長さだけ繰り出した後、切刃による粘着テープの切断時において粘着テープを確実に保持するためにフライトレバーの粘着部に複数個の針が設けられ、ループを指先にて挟着して上方若しくは斜右上方に引き上げる粘着テープ切断装置がある。
【０００５】
また、特許文献３記載のような梱包物等に接着された粘着を剥離しやすいように、粘着テープを切断するとき、あらかじめその片側先端部分を折りたたんで切断できるつまみ部形成機能付き粘着テープカッターがある。
【０００６】
さらに、特許文献４記載のような荷造り、包装等に利用する広幅の粘着テープを速やかに切断するのみならず、その頭出しを容易に行うことができ、その後、粘着テープの頭出し部分を引っ張って、切断刃に押え切断ができる粘着テープカッターがある。
【０００７】
また、特許文献５記載のような、テープカッタを、引き出す接着用テープが、タブのない状態と、タブを摘んで所望長さに引き出し、カッタ刃に押し付け切断することで、一端側にタブを具備する状態との二様の切り換えが簡単に行えるように構成したテープカッタがある。
【０００８】
また、特許文献６記載のようなテープを切断する直前、テープの端部と巻きテープのはがし位置との中間位置の２点で接着する部分を設け、テープ端の方が接着している切断機をはがし位置の方に移動させると、テープの接着している片方又は両方の回転機が少し回るのと一緒にテープの接着部も回り、テープは粘着面を内側にして曲がる。更に切断機をはがし位置の方に移動すると曲がりがきつくなって粘着面が近づき、夫れを摘むことで粘着テープの端部に非接着部を作る粘着テープ端部折り曲げ装置がある。
【０００９】
さらに、特許文献７記載のようなテープの粘着片とカッター刃先面との間に、間隔をとる構造であり間隔面上にテープを張り渡し刃先面の作動片を押すことによりテープはループ状態となり、そのループを指先でつまむことによりテープの先端は折曲げ状態となりテープを所用の寸法に引き出し切断すると、粘着テープの先端が折れ曲げとなり、粘着テープの紙等に密着された状態で、これを剥がすのに簡易な粘着テープ先端折曲げ付きカッターがある。
【００１０】
さらに、特許文献８記載のような基台上に、粘着テープを回動自在に保持する支持手段と、テープを切断する切断手段とを備えた粘着テープカッターであって、粘着テープの接着面に、圧接してテープの長さ方向に癖を付ける突部を有する癖付部材を立設し、該癖付部材の側方に、カッター刃を有するカッター部材の基端部に枢着して外方に向けて回転自在に立設するとともに、癖付部材の側方に位置するように、弾性部材にてカッター部材を弾性附勢してなる切断手段を設けて、テープの長さ方向に大きく傷をつけて癖をつけることができる癖付部材とカッター刃の間が内側に折れ曲げられて確実にテープの先端部に折曲端が形成される粘着テープカッターがある。
【００１１】
【特許文献１】特開平０７−０１７６６２号公報  発明の名称  粘着テープホルダー
【特許文献２】特開平０６−１７９５６２号公報  発明の名称  粘着テープ切断装置
【特許文献３】特開２００１−１９９６１９号公報  発明の名称  つまみ部形成機能付き粘着テープカッター
【特許文献４】特開平０８−０６７３９９号公報  発明の名称  粘着テープカッター
【特許文献５】特開２００５−１８７２０５号公報  発明の名称  テープカッタ
【特許文献６】特開２００４−０８３２７５号公報  発明の名称  粘着テープの端部折り曲げ装置
【特許文献７】特開平０７−３０４５５１号公報  発明の名称  粘着テープ先端折曲げ付カッター
【特許文献８】特開平１０−１６７５５３号公報  発明の名称  粘着テープカッター
【発明の開示】
【発明が解決しようとする課題】
【００１２】
一直線になった通常の粘着テープは端から端まで被粘着物にしっかり接着する。次に、一直線になった粘着テープの一方の端をすべて折り返した端にして被粘着物に接着させると、他方の端はしっかり接着するが、この一方の端は接着する部分に粘着面がないため始めからめくれて剥がれている状態にある。したがって、この折り返した端は指先でめくり剥がしやすさもある。この様に両者の持っている長所を合せ持った形にすると、粘着テープは端から端までしっかり接着してつまめる部分を持ち、事故で剥がれる事なく上につまみ剥がせ、通常の粘着テープと同様にしっかり密封密閉を維持する。この様に両者の特長を合せ持った粘着テープカッターを作り不都合さを解決しようとする。
【００１３】
本発明は上記不都合さを解消するため、端から端まで一直線の粘着テープに密封密閉の作業をする特長を持たせたまま、両方の手のひらを合わせた形にした、つまめる部分をこの上に付加した形にしたものであり、この粘着テープの端は凸型になり上を向き立っている凸起合掌部を形成している。凸型は目で見え手で触れ指先で上につまみ剥がせる形にして弱点を取り除き、より一層粘着テープの便利性と使いやすさを発揮させ、暮らしに貢献する粘着テープカッターを提供する事を目的とする。
【課題を解決するための手段】
【００１４】
本発明の粘着テープカッターは粘着テープを装填する滑車を回転自在に設ける滑車台と、前記滑車台と離間した前者支柱と、この前者支柱と離間した後者支柱と、前記前者支柱と軸を共有したこの後者支柱とをバネを介して二股にして前記軸を支える主柱と、ギザ歯とからなり、これら滑車台と前者支柱と後者支柱とギザ歯とをこの順に配列し、前記滑車台と前記主柱とを基盤に設け、この前者支柱の上面は接着面積を大きくし凹凸歯を設けると共に、後者支柱の上面は接着面積を小さくし前記凹凸歯と対面する位置に凸凹歯を設け、この前者支柱とこの後者支柱を開閉させる事により前記凹凸歯と前記凸凹歯とを噛み合せ、この凹凸歯とこの凸凹歯との合体面を平面とし、前記前者支柱の上面と前記軸を共有した後者支柱の上面とは前記バネの反発で円周線に沿って離間し、斜め上に向い合い静止してなることを特徴とする。
【００１５】
さらに、開閉運動を操作するハンドルを前記後者支柱に設けて後者支柱を前記前者支柱の方向に移動自在とする構成を付加した事を特徴とする。
【００１６】
さらに、開閉運動を操作するハンドルを前記前者支柱に設けて前者支柱を前記後者支柱の方向に移動自在とする構成を付加した事を特徴とする。
【００１７】
さらに、前記後者支柱の上面に微細溝を付けると共に前記微細溝の横で前記前者支柱と反対側にギザ歯を設けて、凸起合掌部を形成する際に粘着テープを剥離しやすくした事を特徴とする。
【００１８】
さらに、前記前者支柱の上面に細い溝を付けた折込み台と留置き台とを滑車台側から順に設けると共に前記後者支柱の上面に微細溝を付け、凸起合掌部を形成しやすくした事を特徴とする。
【００１９】
さらに、前記滑車台と前記基盤を円形のカバーとして設け、このカバーは内側に粘着テープの内面を保持する滑車台と外側円周に基盤を兼用し、且つ前記凹凸歯の下面にある前記前者支柱の接続面を後者支柱の方向に張り出し端留置き台として、このカバーを指先で把持する携帯用粘着テープカッターとした事を特徴とする。
【発明の効果】
【００２０】
本発明の粘着テープカッターは粘着テープを装填してハンドルを操作し手で押すと前記後者支柱は軸を共有する前者支柱に接近し、微小の傾斜面を付けた後者凸歯先端部と微細溝以外の両者支柱の上面にある歯と歯は単一平面となり合体する。ハンドルから手を離すとこの歯と歯はバネの反発で元に戻り斜め上に向い合い静止する。この操作により粘着テープの端は前者支柱上面の歯の角に凸起合掌部になった形で留まる。この形を保持して粘着テープを必要とする長さまで手で引き出し被粘着物に貼ると、この形は一直線になった粘着テープの端に凸起部を作り、なおかつ、この凸起部の真横に粘着テープの最終切れ端が有るためこの端に挟まった凸起部は上向きに立った凸型となる。そして、この粘着テープの粘着面は最初から最後の端まで有るためしっかり接着して事故によりめくれ剥がれる事はない。にも拘らず凸型の端はすぐ目に付き手に触れ指先で上につまみ剥がせる。また、安全に関してはカッター刃など指先に接触する事も無い、器械の操作は年齢に関係なく簡単な使用方法で熟練を必要としない、この粘着テープは一方の端から凸型の最終切れ端まで粘着面があるため密封密閉の作業が常に正確に出来、従来の弱点を解消し粘着テープの利点を発揮する。
【発明を実施するための最良の形態】
【００２１】
以下、本発明の実施の状態について図１乃至図１６を参照して説明する。
【００２２】
図１において、基盤１には粘着テープ１９を装填する滑車２を回転自在に設ける滑車台１８と主柱３とが設けられている。前記主柱３をバネ７を介して二股にした、この股の中心に軸５を設け、二股の一方の先端は前記滑車台１８と離間した前記主柱３から延びて前者支柱４となり、他方の先端は前記軸５を共有して前記前者支柱４の方向に移動自在な後者支柱６となる。前記後者支柱６にはギザ歯１６が設けられており、これら滑車台１８と前者支柱４と前記軸５を共有する後者支柱６とギザ歯１６とがこの順に配列し直線状となっている。前記後者支柱６に設けたハンドル２７を手で押し前記前者支柱４と後者支柱６とで開閉運動をさせると、この両者支柱にある平面にした凹凸歯１１と後者凸歯先端部２４と微細溝２６以外の平面にした凸凹歯１３とは単一の平面として合体し合体面１７を作る。次に、ハンドル２７から手を離すと前記前者支柱の上面８と後者支柱の上面１２とは前記バネ７の反発力により軸５を中心として円周線に沿って離間する。なお、ギザ歯１６は後者支柱６に設ける事に代えて後者支柱６とは別個にしてもよい。また、ねじりバネ、圧縮コイルバネなどのバネ７は器械に合せて選択し、使用場所はバネ７の特長に合わせ移動する。
【００２３】
前記前者支柱の上面８には図２に示すように、縦横方向の細い溝２５を付けた折込み台９と留置き台１０と平面の凹凸歯１１とが滑車台１８側から順に配列されている。折込み台９は滑車台１８側に位置し図５に示す前者支柱上部側面２０の形状としている。なお、前記細い溝２５は多数の微小突起３１のある粗面加工としてもよい。
【００２４】
前記後者支柱の上面１２には図３および図４の拡大図に示すように、前者支柱４の平面の凹凸歯１１と凹凸が逆となって対面するよう平面の凸凹歯１３が設けられている。平面の前記凸凹歯１３の表面に縦横方向の微細溝２６が形成されており、平面の前記凸凹歯１３の後者凸歯１４の先端の後者凸歯先端部２４の上面には微小の傾斜面が形成されており、図６の拡大図に示す後者支柱上部側面２１としている。また、平面の前記凸凹歯１３の基部すなわち後者凸歯先端部２４と反対側には横方向すなわち平面の前記凸凹歯１３の並び方向に研削された溝１５が形成され、さらに、その横にギザ歯１６が設けられている。また、前記微細溝２６は多数の微小突起３１のある粗面加工としてもよい。また、図９および図１０は平面にした前記凹凸歯１１と平面にした前記凸凹歯１３とを板型角歯２８と板型角歯２８とに示している。図１０に示す後者支柱の上面１２にも同様に粗面にするための微細溝２６を付けている。図１１は両者支柱にある板型角歯２８と板型角歯２８とが上下に重合した側面対面図の形状としている。
【００２５】
また、図１５および図１６に示す携帯粘着テープカッターの構成は図１乃至図１６に示す符号と同じ符号にて示す。次に、前記粘着テープカッターとの形状の相違点は前記基盤１と前記滑車台１８とを併用して粘着テープ１９を装填するカバー３２を設け、この内側に粘着テープ１９の内面を保持し回転自在にする滑車台１８と前記カバー３２外側の円周上を基盤１とし主柱３を設け、さらに、前記前者支柱の上面８にある前記凹凸歯１１の下面に前記前者支柱４を横に張出し端留置き台３０として兼用し、前記ハンドル２７と前記バネ７の位置を移動して、前記滑車台１８を指先Ａにて把持する形状にした事以外の構造は前記粘着テープカッターの構造と同様とする。また、本発明で使用するバネ７はねじりバネ、圧縮コイルバネ、引張コイルバネ、板バネなどのバネ７をその時々に使用し、バネ７を取り付ける位置は最も効力のある場所にする。
【００２６】
次に、図１乃至図１６を参照して本発明粘着テープカッターの使用状態並びに工程を説明する。
【００２７】
図１乃至図８は本発明の実施例を示す。基盤１にある滑車台１８に粘着テープ１９を装填した滑車２から粘着テープ１９の端を引き出し、滑車２から直線状にある前記前者支柱４と後者支柱６とに作用するバネ７を装着した前記前者支柱の上面８と後者支柱の上面１２を通過しギザ歯１６で切断した粘着テープ１９を準備する（図７イおよび図８イ参照）。次に、ハンドル２７を操作して前記後者支柱６を円周線に沿って前者支柱４に移動させ、前記前者支柱４と軸５を共有した後者支柱６とで開閉運動をさせると、この両者支柱上面との間にまたがった粘着テープ１９は上に湾曲した形となる（図７ロおよび図８ロ参照）。次に、前記後者支柱の上面１２の凸凹歯１３にある歯先に微小の傾斜面をつけた後者凸歯１４の先端は前記前者支柱の上面８にある凹凸歯１１この凹歯の上にある粘着テープ１９の下に入り込み前記凹凸歯１１と前記凸凹歯１３とが合体すると、後者支柱の上面１２にある粘着テープ１９の平坦な切れ端２２Ａは前記後者支柱の上面１２から横ずれし浮き剥がれやすい状態となる。よって、前記前者支柱の上面８に凹凸歯１１を設けると共に、前記後者支柱の上面１２に前記凹凸歯１１と対面する位置に凸凹歯１３を設け、この事により正確に凸起合掌部２２を形成しこの凸起部２３の上部内面は未接着の空間を残し合掌接着する（図７ハおよび図８ハ参照）。ハンドル２７から手を離すと合体し合体面１７を作っていた前記凹凸歯１１と前記凸凹歯１３とはバネ７の反発力により離間し前記後者支柱６は元に戻る時、粘着テープ１９の平坦な切れ端２２Ａは後者支柱の上面１２から分離され、前記前者支柱の上面８の留置き台１０および前記凹凸歯１１の角にある凸起合掌部２２の端になったまま留まる。そしてこの後者支柱の上面１２は軸５を中心として円周線に沿って分かれ斜め上に向い合い静止する（図７ニおよび図８ニ参照）。この粘着テープ１９と前記凹凸歯１１と前記凸凹歯１３との作用は噛み合せでこの凸凹歯１３にある後者凸歯１４の歯先が前記凹凸歯１１に入り込み移動する長さだけ粘着テープ１９の端が横ずれ浮き剥がれを起こし、そして、この凹凸歯１１から微細溝２６を付けたこの凸凹歯１３が離間する時この微細溝２６の作用で剥離を促進させる。この二つの剥離動作をする粘着テープカッターはテープの粘着力の強さや種類に関係なく長時間連続使用しても常に安定し端に凸起合掌部２２を作るため、多人数の場所で包装や荷造りをする置き台に器械を固定して使用してもよい。    
【００２８】
本発明の粘着テープ１９の端に凸起合掌部２２を作る第１条件は粘着テープ１９を装填する滑車２を回転自在に設ける滑車台１８と、前記滑車台１８と離間した前者支柱４と、この前者支柱４と離間した後者支柱６と、前記前者支柱４と軸５を共有したこの後者支柱６とをバネ７を介して二股にして前記軸５を支える主柱３と、ギザ歯１６とからなり、これら滑車台１８と前者支柱４と後者支柱６とギザ歯１６とをこの順に配列し、前記滑車台１８と前記主柱３とを基盤１に設け、この前者支柱の上面８は接着面積を大きくし凹凸歯１１を設けると共に、後者支柱の上面１２は接着面積を小さくし前記凹凸歯１１と対面する位置に凸凹歯１３を設け、この前者支柱４とこの後者支柱６を開閉させる事により前記凹凸歯１１と前記凸凹歯１３とを噛み合せ、この凹凸歯１１とこの凸凹歯１３との合体面を平面とし、前記前者支柱の上面８と前記軸５を共有した後者支柱の上面１２とは前記バネ５の反発で円周線に沿って離間し、斜め上に向い合い静止する形を形成している。この様に簡単な構造にする事により、器械はぶれの無い軸５を中心にして正確に開閉運動をし、各部分の部品は縦の歪みや横の歪みなど、また、手の操作による粘着テープ１９のぶれなど全く無い構造にしている。次にハンドル２７を操作して前記後者支柱の上面１２を円周線に沿って移動させると、この粘着テープ１９は合体面１７を作る両者支柱上面の歯先と歯先との中間点の上に向い直線を維持する復元力により正確に凸起合掌部２２を形成する（図７参照）。  
【００２９】
本発明の粘着テープ１９の端に凸起合掌部２２を作る第２条件は前記軸５を中心とし正確に開閉運動をする事で、直線を維持しようとする粘着テープ１９は平面にした凹凸歯１１の延長線と後者凸歯先端部２４と微細溝２６を伴う平面にした凸凹歯１３との延長線の交差点から上に向かい浮き上がる。そして、この様な形にした両者支柱上面の各々の平面は粘着テープ１９が上に向かう角度を維持する。また、上に向い合う角度は両者支柱の長さ（半径）で調整する。また、この両者支柱の上面に跨っている粘着テープ１９は捩れ歪みが無く張力も均等し、真っ平らに張った面として前記前者支柱の上面８と後者支柱の上面１２に留め置かれている事とする。反対に前記後者支柱上面１２の接着面積が狭い状態、即ち、粘着テープ１９の留め台が横に細長く接着面の幅が狭い場合や粘着テープ１９を切断する切断刃を兼用した粘着テープ１９の留め台など、この様に接着面積が小さい場合粘着テープ１９の捩れ歪みが発生する。そして前者支柱４と後者支柱６とを接近させると前記後者支柱の上面１２にしっかり接着せず自然分離されるか又は正しい方向に湾曲せず下降する場合がある。しかし後者支柱の上面１２の接着面積が大きい場合、上記の事柄は発生する事なく長時間この器械を連続使用しても正確に端に凸起合掌部２２を作る（図１及び図７参照）。  
【００３０】
図９乃至図１１は、本発明の第２実施例を示し、図１および図２に示す平面にした前記凹凸歯１１と平面にした前記凸凹歯１３が噛み合せ自在とする歯に代えて直線縁状の平面にした板型角歯２８と板型角歯２８とにしたもので、前者支柱４と軸５を共有した後者支柱６とを開閉運動をさせると、図１１に示すように板型角歯２８と板型角歯２８との歯は上と下が重合する。この操作により粘着テープ１９は前記前者支柱の上面８にある板型角歯２８の角に凸起合掌部２２を同様に作る。又板型角歯２８と板型角歯２８との重合の度合いは粘着テープ１９の硬さ、厚さ、幅の広さ等により、用途に応じ調整する。又歯の厚さも同様に調整する。
【００３１】
図１２は本発明の第３実施例を示す。後者支柱６を移動させて前者支柱４と軸５を共有した後者支柱６とが開閉運動をさせる構成に代えて、図１２に示すように前者支柱４を軸を共有した後者支柱６に移動させて開閉運動させる粘着テープカッターである。
【００３２】
図１５および図１６は本発明の第４実施例を示し、その構成は図１乃至図１６に示す符号と同じ符号にて示す。前記基盤１と前者滑車台１８を併用し粘着テープ１９を装填するカバー３２を設け、前記カバー３２の内側に粘着テープ１９の内面を保持し回転自在にする滑車台１８とこのカバー３２外側の円周上を基盤１とし、さらに、前記前者支柱４の前記凹凸歯１１の下面にあるこの前者支柱４の接続面を横に張出し端留置き台３０として兼用し、前記滑車台１８を指先で把持する。また、後者支柱の上面２１にある前記凸凹歯１３と溝１５とギザ歯１６との続きに前記後者支柱６に直接直結したハンドル２７を設けて非粘着物２９に直接打ち当て、前者支柱の上面８にある平面とした前記凹凸歯１１と軸５を共有した後者支柱の上面１２にある平面とした前記凸凹歯１３とをこの操作にて開閉運動をさせる。この様に荒っぽい使用方法でも軸５を共有して正確に移動するようにした構造にしているため、連続使用しても常に安定している。また、基盤１の上面に多数の小突起３１がある粗面加工をすると不必要な接着を避けることができる。
【００３３】
また本発明の前者支柱４と軸５を共有した後者支柱６とを開閉運動を起させないで粘着テープ１９を引き出しギザ歯１６で切断すると一直線の粘着テープ１９として使用できる。また前記粘着テープカッター及び前記携帯粘着テープカッターに有る記載は主要な骨組みの構造であり、ハンドル２７の位置や外装の形状や素材などは安全面やデザインにより変化する。
【００３４】
図１３は本発明の凸起合掌部２２を形成した粘着テープ１９を被粘着物２９に接着使用する手順を示す図であり、前者支柱の上面８に形成されている凸起合掌部２２の前にある滑車２側から来る一直線の粘着テープ１９（図７ニ参照）を指先Ａ、Ａで持ち上げ必要な長さの粘着テープ１９を引き出しギザ歯１６で切断すると、粘着テープ１９は手の平側に凸起部２３と平坦な切れ端２２Ａと指先Ａ、Ａの外側に平坦部２２Ｂからなる凸起合掌部２２を形成する（図１３イ）。次に、被粘着物２９に指先Ａ、Ａとでその粘着テープ１９を対面させて平坦部２２Ｂを押さえつける（図１３ロ）。さらに、平坦な切れ端２２Ａを被粘着物２９に指先Ａにて押さえつける事により凸起部２３が被粘着物２９から凸起した状態となる（図１３ハ）。この平坦な切れ端２２Ａは粘着テープ１９が端からめくれ剥がれることを止めている。最終の端に平坦な切れ端２２Ａが有れば凸起合掌部２２の端になり無ければ単に折り返した端になる。この凸起合掌部２２の凸型の端は密封密閉を確実にし、一直線になった通常の粘着テープ１９と同様に端から端までしかり接着する。そしてこの凸型の端は横方向には剥がれにくい。しかし、指先で上方向には簡単につまみ上げ剥がし取れる。
【００３５】
図１４は本発明の折込み部を手で形成する粘着テープ１９を被粘着物２９に接着使用する手順を示す図であり、前記前者支柱４と軸５とを共有した後者支柱６との開閉運動により粘着テープ１９の凸起合掌部２２が留置き台１０と前記凹凸歯１１の角に跨っている状態にあるその凸起部２３の横にある滑車２から来る一直線の粘着テープ１９の部分（図７ニ参照）を指先Ａ、Ａで持ち上げ（図１４イ）、そのまま移動せずに上から下へ平坦な切れ端２２Ａを折込み台９の上で指で押さえつけ（図１４ロ）、粘着テープ１９の端が単に折り返した端になった折込み粘着テープ１９になる（図１４ハ）。      
【００３６】
図１５および図１６は本発明の携帯粘着テープカッターの使用方法と上面図を示し、その構成は図１乃至図１６に示す符号と同じ符号にて示す。粘着テープ１９を装填した携帯粘着テープカッターを持って手首を軽く振り動かしながら、前記後者支柱６に直接連動しているハンドル２７を被粘着物２９に軽く打ち当てると、この後者支柱の上面１２にある平面にした前記凸凹歯１３と軸５を共有した前者支柱の上面８にある平面にした前記凹凸歯１１とがこの軸５を中心に円周線上で噛み合せ合体させると、粘着テープ１９の凸起部２３は前記前者支柱の上面８にある前記凹凸歯１１の角に跨った形になって凸起合掌部２２を形成する（図７ニ参照）。次に、これを被粘着物２９に接着使用する手順を示す（図１３参照）。また、前記前者支柱の上面８にある平面の前記凹凸歯１１の下面にある前者支柱４を横に張出し端留置き台３０として兼用したこの上面に微細溝２６を設ける。この部分の作用は腰の強い粘着テープ１９を使用して凸起合掌部２２を形成させると、前記凹凸歯１１角に跨り留まっているその粘着テープ１９は腰が強く張りも強いため復元力も強くなりこの平坦な切れ端２２Ａは横方向から下方向へと曲がる。その時端留置き台３０が曲がりを受け止め凸起合掌部２２を形成しやすくする。
【００３７】
本発明粘着テープカッターの原理を市販されている一般的なペンチと粘着テープとで書き示す。
（１）ペンチを開ける。
（２）ペンチは軸５を中心に先端部が二股に分かれる。
（３）粘着テープ１９を二股にした両先端部に貼り渡す。
（４）ペンチを閉じる。
（５）ペンチの先端部が合体したこの平面の上に凸起合掌部２２を作る。
【図面の簡単な説明】
【００３８】
【図１】本発明の実施例を示す斜視図である。
【図２】本発明の前者支柱の上面図である。
【図３】本発明の後者支柱の上面図である。
【図４】本発明の後者凸歯の拡大した上面図である。
【図５】本発明の前者支柱上部側面図である。
【図６】本発明の拡大した後者支柱上部側面図である。
【図７】本発明の使用状態を示す正面図である。
【図８】本発明の工程を示すフローチャート図である。
【図９】本発明の第２実施例を示す前者支柱の上面にある歯を板型角歯に取り替えた上面図である。
【図１０】本発明の第２実施例を示す本発明の後者支柱の上面にある歯を板型角歯に取り替えた上面図である。
【図１１】本発明の第２実施例を示す両者支柱にある板型角歯と板型角歯とが重合した側面対面図である。
【図１２】本発明の第３実施例を示す斜視図である。
【図１３】本発明の凸起合掌部が形成された粘着テープを被粘着物に接着使用する手順を示す図である。
【図１４】本発明の折込み部を手で形成する粘着テープを被粘着物に接着使用する手順を示す図である。
【図１５】本発明の第４実施例を示す携帯粘着テープカッターの正面図である。
【図１６】本発明の第４実施例を示す携帯粘着テープカッターの上面図である。
【符号の説明】
【００３９】
１  基盤
２  滑車
３  主柱
４  前者支柱
５  軸
６  後者支柱
７  バネ
８  前者支柱の上面
９  折込み台
１０  留置き台
１１  凹凸歯
１２  後者支柱の上面
１３  凸凹歯
１４  後者凸歯
１５  溝
１６ギザ歯
１７合体面
１８滑車台
１９粘着テープ
２０前者支柱上部側面
２１後者支柱上部側面
２２凸起合掌部
２２Ａ平坦な切れ端
２２Ｂ平坦部
２３凸起部
２４後者凸歯先端部
２５細い溝
２６微細溝
２７ハンドル
２８板型角歯
２９被粘着物
３０端留置き台
３１小突起
３２カバー
Ａ  指先